(57)【要約】【課題】除塵装置と干渉のおそれをなくすとともに構造の簡略化を達成した掻寄装置を提供すること。【解決手段】処理池の幅間中央を通る位置の一定高さには、ガイドレールが通されるとともに、同ガイドレールには、前後に直線状に進退自在な機体が設けられ、同機体には、機体に対し前後に直線状に進退自在な長尺状の連動部材が設けられて同連動部材の前後各端に連結された周回牽引条材がその周回牽引方向を正逆交互に切り換ることで進退切換可能とされ、同機体の前後位置には、横向き回転軸周りに上下に回転するスクレーパ付きスクレーパアームがそれぞれ設けられて、前記連動部材が進退切換されることでこれらのスクレーパ付きスクレーパアームのうち一方は、低くなった掻寄状態となってピットの方向に堆積物を掻き寄せる一方、他方のスクレーパ付きスクレーパアームは、高くなった非掻寄状態となって反ピットの方向に戻されるように構成されていることを特徴とする。【選択図】図１
2009154143.tif 000002
【特許請求の範囲】
【請求項１】
沈砂池・沈澱池などの処理池の池底の長手方向中途に凹状のピットを備え、池底に沈降する堆積物を掻き寄せてピット内に掻き落とすための掻寄装置であって、処理池の幅間中央を通る位置の一定高さには、ガイドレールが通されるとともに、同ガイドレールには、前後に直線状に進退自在な機体が設けられ、同機体には、機体に対し前後に直線状に進退自在な長尺状の連動部材が設けられて同連動部材の前後各端に連結された周回牽引条材がその周回牽引方向を正逆交互に切り換ることで進退切換可能とされ、同機体の前後位置には、横向き回転軸周りに上下に回転するスクレーパ付きスクレーパアームがそれぞれ設けられて、前記連動部材が進退切換されることでこれらのスクレーパ付きスクレーパアームのうち一方は、低くなった掻寄状態となってピットの方向に堆積物を掻き寄せる一方、他方のスクレーパ付きスクレーパアームは、高くなった非掻寄状態となって反ピットの方向に戻されるように構成されていることを特徴とする掻寄装置。
【発明の詳細な説明】
【技術分野】
【０００１】  この発明は、沈砂池や沈澱池などの処理池内に設置され沈降してくる堆積物を凹状のピット内に掻き落とすようにする掻寄装置に関する。
【背景技術】
【０００２】  例えば、沈砂池にはその上・下流側に掻揚機能を有するバースクリーンが設置されるとともにその間に凹状のピットが設けられて池底に沈降する堆積物をピット方向に掻き寄せて掻き落としそれらをポンプアップして処理するようにしている。
ところで、前記ピット方向に掻き寄せるための掻寄装置には各種のものがあるが、本出願人は、池幅中央の高い位置にガイドレールを設け、同ガイドレールに沿って進退する機体を装備するとともに、同機体に横回転軸周りに上下回転するアームを備えて同アーム先のスクレーパによりピット方向に堆積物を掻き寄せるようにしている。
【発明の開示】
【発明が解決しようとする課題】
【０００３】  ところで、前記したように上・下流側である前後にバースクリーンが既設物として設置された沈砂池には、そのバースクリーン間に掻寄装置を新規装置として追加設置するようなことがあり、この場合、上流側のバースクリーン近傍にピットを配置して前記掻寄装置を進退運動させるように構成することも考えられるが、このように配置すると掻寄装置がバースクリーンと干渉する関係となるきらいがある。
この発明は、上記に鑑みなされたもので、前記干渉のおそれをなくすとともに構造の簡略化を達成した掻寄装置を提供することにある。
【課題を解決するための手段】
【０００４】  上記課題を解決するため、請求項１記載の発明は、沈砂池・沈澱池などの処理池の池底の長手方向中途に凹状のピットを備え、池底に沈降する堆積物を掻き寄せてピット内に掻き落とすための掻寄装置であって、処理池の幅間中央を通る位置の一定高さには、ガイドレールが通されるとともに、同ガイドレールには、前後に直線状に進退自在な機体が設けられ、同機体には、機体に対し前後に直線状に進退自在な長尺状の連動部材が設けられて同連動部材の前後各端に連結された周回牽引条材がその周回牽引方向を正逆交互に切り換ることで進退切換可能とされ、同機体の前後位置には、横向き回転軸周りに上下に回転するスクレーパ付きスクレーパアームがそれぞれ設けられて、前記連動部材が進退切換されることでこれらのスクレーパ付きスクレーパアームのうち一方は、低くなった掻寄状態となってピットの方向に堆積物を掻き寄せる一方、他方のスクレーパ付きスクレーパアームは、高くなった非掻寄状態となって反ピットの方向に戻されるように構成されていることを特徴とする。
【発明の効果】
【０００５】  この発明によれば、処理池の幅間中央を通る位置の一定高さには、ガイドレールが通されるとともに、同ガイドレールには、前後に直線状に進退自在な機体が設けられ、同機体には、機体に対し前後に直線状に進退自在な長尺状の連動部材が設けられて同連動部材の前後各端に連結された周回牽引条材がその周回牽引方向を正逆交互に切り換ることで進退切換可能とされ、同機体の前後位置には、横向き回転軸周りに上下に回転するスクレーパ付きスクレーパアームがそれぞれ設けられて、前記連動部材が進退切換されることでこれらのスクレーパ付きスクレーパアームのうち一方は、低くなった掻寄状態となってピットの方向に堆積物を掻き寄せる一方、他方のスクレーパ付きスクレーパアームは、高くなった非掻寄状態となって反ピットの方向に戻されるように構成されていることを特徴とするので、前記干渉のおそれをなくすとともに構造の簡略化を達成した掻寄装置を提供することができる。
また、前記のように構成するので、装置が往復運動するそれぞれにおいて掻寄が可能になって掻寄回数が倍加することになり、そのことから逆に掻寄スピードを遅く設定しても所要の掻寄能力が得られることになる。
【発明を実施するための最良の形態】
【０００６】  以下、この発明の一実施形態を図面にしたがって説明するが、ここで説明する各実施形態に含まれる個々の提案例は他の実施形態にも適用されるものとする。
図１ないし図４は、この発明に係る掻寄装置の１つの実施形態を示し、図１、図２は同掻寄装置の側面図、図３は図１の平面図、図４は図１のＩＶ−ＩＶ線拡大断面図である。図１は上流側Ａへ向けた掻寄状態を、図２は下流側Ｂへ向けた掻寄状態をそれぞれ示す。【０００７】  これらの図において、１は沈砂池で、同沈砂池１は、汚水や雨水をゲート（図示省略）を通じて流入させそれらに含まれる多量の砂分やゴミ類を取り除くために設けられているもので、左右幅方向に対向する側壁２，２と底壁３とを有する水路状のものになっている。この沈砂池１は、図１ないし図３においてＡ側が上流側、Ｂ側が下流側とされ、この符号ＡおよびＢ付近に前記バースクリーンが既設物として設置されている。以下においてＡ側を前側、Ｂ側を後側として説明する。尚、図１および図２は１つの装置が上下段に分かれて表示されているがそれら上下段に表示されたものは互いに連続するものである。【０００８】  ５はピットで逆四角錐をした凹状をなすとともに、同ピット５は、Ａ，Ｂ間の中途（中間）位置に配置されている。このピット５内には、吸上ポンプ６が左右一対配備され、それに連通して垂直上方に伸びた吸上パイプ７は図３の平面図に示すように掻寄装置の進退に干渉しない位置関係とされている。
尚、４はハンチ部分（斜壁）で、砂分を中央寄りに案内するためのもので、底壁３におけるピット５よりも上流側Ａの部分にのみ設けられているが、Ｂ側の部分にも設けてもよい。
この場合、周回牽引条材２２は、図１の矢印Ｘである右回りの方向に駆動ホイール２４が回転駆動されることで下周りが矢印Ｘの方向に牽かれるのでアンカー２１およびアンカーブラケット２０を介して連動部材１９を前側に牽引する。これにより、連動部材１９は前進するが、機体１４側の前後２箇所に突設したうちの前側のストッパ２８に当たって一定のところで止められる。その時点で機体１４は前進力を得て図１の矢印Ｆのように牽引される。
この牽引は後のスクレーパ３６がピット５の手前にくるまで継続される。【００１９】  その時点をリミットスイッチで検出することで、次は駆動ホイール２４を図２のように逆回転Ｙさせるように制御される。周回牽引条材２２は上周りが矢印Ｙ方向に牽かれ、これにより、連動部材１９が後側に牽かれて後側のストッパ２８にアンカーブラケット２０が当たることで停止する。【００２０】  その間、後側のアンカーブラケット２０を介して連動部材１９が後方へ移動してアーム連動材３２を介して連動アーム３１を図２の右周りに回転連動させるとともにスクレーパアーム３４を持ち上げてスクレーパ３６が持ち上がりその非掻寄状態で固定されることになる。前側においては、周回牽引条材２２の下周りから上周りに経由する部分が緩み側となっているので、連動部材１９の後方への移動を許し、その結果、スクレーパアーム３４の自由降下を許す状態になるとともに、前記のように一定の掻寄力を保ったまま後方のピット５側へと堆積物Ｓを掻き寄せる。この掻き寄せは前記のように抵抗が一定以上になると逃げ得るものとされる。Ｒは掻寄装置の後方への移動方向を示す。
【図面の簡単な説明】
【００２１】
【図１】  本発明の一実施形態を前方への掻寄状態として示す側面図。
【図２】  本発明の一実施形態を後方への掻寄状態として示す側面図。
【図３】  図１の横断平面図。
【図４】  図１のＩＶ−ＩＶ線断面矢視図。
【符号の説明】
【００２２】  １…沈砂池  ３…底壁  ５…ピット  ９…ガイドレール  １４…機体  １５…走行ローラー  ２０…アンカーブラケット  ２１…アンカー  ２２…周回牽引条材  ２４…駆動ホイール  ２８…ストッパ  ２９…横向き回転軸  ３１…連動アーム  ３２…アーム連動材  ３４…スクレーパアーム  ３６…スクレーパ  Ｓ…堆積物。
【図１】
2009154143.tif 000003
【図２】
2009154143.tif 000004
【図３】
2009154143.tif 000005
【図４】
2009154143.tif 000006